(57)【要約】【課題】  画像めくり表示における読影医の負担を低減する医用画像表示装置を提供すること。【解決手段】本実施形態に係る医用画像表示装置１において、画像記憶部１４は、複数の医用画像のデータを記憶する。表示部２０は、画像記憶部１４に記憶されている医用画像を表示する。ちらつき画像特定部１３は、複数の医用画像に含まれているちらつき画像を特定する。読み出し制御部１９は、複数の医用画像を表示部２０に順次表示する際にちらつき画像を表示対象から除外する。【選択図】      図１
2015231074.tif 000002
【特許請求の範囲】
【請求項１】
複数の医用画像のデータを記憶する画像記憶部と、
前記画像記憶部に記憶されている医用画像を表示する表示部と、
前記複数の医用画像に含まれているちらつき画像を特定する特定部と、
前記複数の医用画像を前記表示部に順次表示する際に前記ちらつき画像を表示対象から除外する表示制御部と、
を具備することを特徴とする医用画像表示装置。
【請求項２】
複数の医用画像のデータを記憶する画像記憶部と、
前記画像記憶部に記憶されている医用画像を表示する表示部と、
前記複数の医用画像に含まれているちらつき画像を特定する特定部と、
前記複数の医用画像を前記表示部に順次表示する際に、前記ちらつき画像を前記ちらつき画像の前に表示された医用画像と異なる表示形態で表示する表示制御部と、
を具備することを特徴とする医用画像表示装置。
【請求項３】
前記表示制御部は、前記ちらつき画像を前記ちらつき画像の前に表示された医用画像に比べて縮小して前記表示部に表示すること、
を特徴とする請求項２記載の医用画像表示装置。
【請求項４】
前記表示制御部は、前記ちらつき画像の輝度を調整して前記表示部に表示すること、
を特徴とする請求項２記載の医用画像表示装置。
【請求項５】
前記表示制御部は、前記ちらつき画像を前記ちらつき画像の前に表示された医用画像の表示時間よりも長く表示すること、
を特徴する請求項２記載の医用画像表示装置。
【請求項６】
前記表示制御部は、前記ちらつき画像の近傍の医用画像を、前記ちらつき画像の表示時間よりも短く、且つ、他の医用画像よりも長く表示すること、
を特徴とする請求項５記載の医用画像表示装置。
【請求項７】
複数の医用画像のデータを記憶する画像記憶部と、
前記画像記憶部に記憶されている医用画像を表示する表示部と、
前記複数の医用画像に含まれているちらつき画像を特定する特定部と、
前記ちらつき画像と順番が前後する２つの医用画像各々のデータに基づいて、中間画像のデータを発生する画像処理部と、
前記複数の医用画像を前記表示部に順次表示する際に、前記ちらつき画像を前記中間画像に差し替えて表示する表示制御部と、
を具備することを特徴とする医用画像表示装置。
【請求項８】
前記特定部は、前記ちらつき画像をちらつき条件に基づいて特定すること、
を特徴とする請求項１乃至請求項７のいずれか一項に記載の医用画像表示装置。
【請求項９】
前記ちらつき画像は、前記複数の医用画像のうち、平均画素値が第１閾値以上、または、平均画素値が第２閾値以下を満たす医用画像であること、
を特徴とする請求項８に記載の医用画像表示装置。
【請求項１０】
前記第１閾値及び前記第２閾値は、前記ちらつき画像と順番が前後する２つの医用画像のうち、少なくとも一方により定義されること、
を特徴とする請求項９記載の医用画像表示装置。
【請求項１１】
前記平均画素値は、前記医用画像の全範囲に対する一部分範囲に対応する複数の画素の平均画素値であること、
を特徴とする請求項５記載の医用画像表示装置。
【請求項１２】
前記複数の医用画像は、シリーズ画像であること、
を特徴とする請求項１乃至請求項７のうち、いずれか一項に記載の医用画像表示装置。
【請求項１３】
前記シリーズ画像は、ＣＴ装置またはＭＲＩ装置により収集されること、
を特徴とする請求項１２記載の医用画像表示装置。
【請求項１４】
前記ちらつき画像は、前記複数の医用画像に含まれる２つのシリーズ画像のうち、順番が後のシリーズ画像の先頭の医用画像であること、
を特徴とする請求項１２または請求項１３記載の医用画像表示装置。
【発明の詳細な説明】
【技術分野】
【０００１】
本発明の実施形態は、医用画像表示装置に関する。
【背景技術】
【０００２】
読影医が複数の医用画像を読影する方法として、画像めくり表示がある。画像めくり表示は、画像めくり表示には、タイル表示モードとスタック表示モードとがある。タイル表示モードは、１シリーズ内の複数の画像を見渡すためのモードである。タイル表示モードにおいて、１シリーズ内の複数の医用画像がディスプレイに表示され、表示された枚数毎に次々と医用画像が手動または自動で切り替えられる。スタック表示モードは、複数のシリーズをそれぞれ同時に見るためのモードである。スタック表示モードにおいて、シリーズ毎に医用画像がディスプレイに表示され、当該医用画像は手動または自動で、シリーズ内の次の画像に切り替えられる。画像めくり表示は、読影医が読影対象の複数の医用画像の全体を観察するためのスクリーニング検査として行われる場合が多い。そのため、画像めくり表示のフレームレートは高い。例えば、Ｘ線撮影装置を用いたＸ線透視では、動画で撮影される。主に、動画は６０ｆｐｓ以下で撮影される。画像めくり表示では、撮影されたフレームレートと同じフレームレートで行われる。
【０００３】
医用画像には、モノクロ画像が多く、表示時の階調は１２ビットや１６ビット等である。そのため、画像めくり表示にて医用画像を読影する環境として、可能な限り照明や外光の影響のない環境が推奨される。しかし、読影対象の複数の医用画像には、他の医用画像に比べて白が強調された画像が含まれる場合がある。このような読影対象の複数の医用画像を画像めくり表示するとき、白が強調された画像の表示前後で、黒画像から白画像そしてまた黒画像と画面が遷移される。このような点滅したような画面遷移は、読影医に対してちらつく視感覚を起こさせ、目の負担となる。
【先行技術文献】
【特許文献】
【０００４】
【特許文献１】Ｐ２００９−１３９６２４号公報
【特許文献２】Ｐ２０１２−１８９７９０号公報
【特許文献３】Ｐ２０１１−２０５３４７号公報
【特許文献４】Ｐ２０１１−７５７６５号公報
【発明の概要】
【発明が解決しようとする課題】
【０００５】
目的は、画像めくり表示における読影医の負担を低減する医用画像表示装置を提供することにある。
【課題を解決するための手段】
【０００６】
本実施形態による画像表示装置は、複数の医用画像のデータを記憶する画像記憶部と、前記画像記憶部に記憶されている医用画像を表示する表示部と、前記複数の医用画像に含まれているちらつき画像を特定する特定部と、前記複数の医用画像を前記表示部に順次表示する際に前記ちらつき画像を表示対象から除外する表示制御部と、を具備することを特徴とする。
【図面の簡単な説明】
【０００７】
【図１】図１は、本実施形態に係る医用画像表示装置の構成の一例を示すブロック図である。
【図２】図２は、ちらつき条件記憶部に記憶されているちらつき条件のデータの一例を示した図である。
【図３】図３は、白黒強調画像を説明するための説明図である。
【図４】図４は、全体白黒画像を説明するための説明図である。
【図５】図５は、静止画像を説明するための説明図である。
【図６】図６は、切替え画像の第１例を説明するための説明図である。
【図７】図７は、切替え画像の第２例を説明するための説明図である。
【図８】図８は、ちらつき防止方法設定画面の一例である。
【図９】図９は、本実施形態に係る医用画像表示装置を用いた画像めくり表示における処理の流れを示したフローチャートである。
【発明を実施するための形態】
【０００８】
以下、図面を参照しながら本実施形態に係る画像表示装置を説明する。なお、以下の説明において、略同一の機能及び構成を有する構成要素については、同一符号を付し、重複説明は必要な場合にのみ行う。
【０００９】
図１は、本実施形態に係る医用画像表示装置のブロック構成の一例を示す図である。本実施形態に係る医用画像表示装置１（以下、本医用画像表示装置１と呼ぶ）は、医用画像を表示するための表示デバイスを有する。本医用画像表示装置は、例えば、スマートフォンやタブレット等に代表される携帯端末であってもよいし、汎用のパーソナルコンピューターであってもよい。ユーザは、医用画像を読影するための手段として本医用画像表示装置を用いる。
【００１０】
図１に示すように、本医用画像表示装置１は、ＬＡＮ（Ｌｏｃａｌ  Ａｒｅａ  Ｎｅｔｗｏｒｋ）や公衆電子通信回線等のネットワークを介して、医用画像保管装置３に接続される。医用画像保管装置３は、医用画像のデータを付帯情報とともに記憶する。付帯情報は、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に従って、患者ＩＤ（ＩＤｅｎｔｉｆｉｅｒ）、検査ＩＤ、シリーズＩＤ、及びイメージＩＤなどで構成されている。患者ＩＤ、検査ＩＤ、シリーズＩＤ、及びイメージＩＤなどの情報は、ＤＩＣＯＭ規格に従って規格化されている。患者ＩＤは、撮影された被検体を特定するための情報である。検査ＩＤは、検査内容を特定するための情報である。シリーズＩＤは、被検体の撮影部位ごと、画像発生時刻、スライス厚、画像生成方法、画像撮影条件や撮影位置、または造影剤の有無などで、発生された複数の医用画像を分類するために用いられる情報である。イメージＩＤは、医用画像毎に付与される固有の番号である。
【００１１】
被検体に対して複数の検査が実施されている場合、それぞれの検査で発生された複数の医用画像のデータは、それぞれの検査を示す検査ＩＤが付加されて、検査ごとに分類される。また、複数の部位を撮影するなどして検査に複数のシリーズが含まれている場合、それぞれのシリーズについて発生された複数の医用画像のデータは、それぞれのシリーズを示すシリーズＩＤを付加されて、シリーズごとに分類される。すなわち、ある患者ＩＤが付帯された複数の医用画像のデータは、検査ＩＤによって検査ごとに分類される。さらにそれぞれの検査は、シリーズＩＤによって、シリーズごとに分類される。なお、付帯情報は医用画像の特徴を表す情報であれば、他の情報でもよい。具体的には、付帯情報は、画像種別情報、造影剤有無情報、心電同期情報、及び解析有無情報等であってもよい。画像種別情報は、医用画像が形態画像と機能画像とのうちどちらであるかを示す情報である。造影剤有無情報は、医用画像撮影時に造影剤を用いたか否かを示す情報である。心電同期情報は、心電同期法を用いた撮影における、心拍位相情報である。解析有無情報は、他の医用画像処理装置、または外部装置の備える画像処理装置による画像解析後のデータであるか否かを示す情報である。また、上記付帯情報は、ＤＩＣＯＭ規格に基づいて説明をしたが、他の標準規格を適用してもよい。
【００１２】
医用画像保管装置３は、典型的にはＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ：医療画像情報システム）である。ＰＡＣＳは、医用画像のデータを、付帯情報に従って、ＤＩＣＯＭ規格に準拠した４つの階層に従って区分けし管理する。４つの階層は、上から順番に患者階層、検査階層、シリーズ階層、オブジェクト階層である。これらの階層は、上から順に包含関係にある。オブジェクトは、医用画像（概念的にオリジナル画像と画像処理により生成された処理画像とを含む）、レポート、音声、撮影生データ（例えば、Ｘ線ＣＴ装置における投影データや超音波診断装置におけるエコーデータ）、心電図、及び呼吸波形等のデータを含む。ＰＡＣＳは、オブジェクトを、付帯情報に関連付けて管理する。
【００１３】
本医用画像表示装置１は、送受信部１１、ちらつき条件記憶部１２、ちらつき画像特定部１３、画像記憶部１４、画像発生部１５、輝度調整部１６、入力部１７、設定部１８、読み出し制御部１９、表示部２０、及びシステム制御部２１を有する。  
送受信部１１は、本医用画像表示装置１が医用画像保管装置３とデータ通信を行うための通信インターフェースとして機能する。本医用画像表示装置１と医用画像保管装置３とは、例えば、ＤＩＣＯＭ規格に準拠したプロトコルで互いに通信する。
【００１４】
ＤＩＣＯＭには、ＤＩＣＯＭ通信により提供される様々な機能（サービスクラス）がある。画像のデータの問い合わせ、検索、取得に関する機能（Ｑｕｅｒｙ／Ｒｅｔｒｉｅｖｅ  Ｓｅｒｖｉｃｅ  Ｃｌａｓｓ）がある。Ｑｕｅｒｙ／Ｒｅｔｒｉｅｖｅ機能において、本医用画像表示装置１は、医用画像のデータの取得要求を、医用画像保管装置３に送信する。医用画像保管装置３は、要求された医用画像のデータが保管されているかを検索する。要求された医用画像のデータがあれば、リストにして本医用画像表示装置１に対して送信する。本医用画像表示装置１は、後述の表示部２０に受信したリストを表示する。本医用画像表示装置１は、受信したリストから選択された医用画像の取得要求を医用画像保管装置３に対して送信する。医用画像保管装置３は、要求された医用画像のデータを保管先から読み出し、本医用画像表示装置１に対して送信する。本医用画像表示装置１は、要求した医用画像のデータを受信すると、受信が完了した旨を通知する信号を医用画像保管装置３に対して送信する。以上のＱｕｅｒｙ／Ｒｅｔｒｉｅｖｅ機能により、本医用画像表示装置１は、医用画像保管装置３から医用画像のデータを取得する。
【００１５】
ちらつき条件記憶部１２は、２次（補助）記憶装置である。保管部は、ＨＤＤ（Ｈａｒｄ  Ｄｅｓｋ  Ｄｒｉｖｅ）等の磁気ディスク装置及びＦｌａｓｈ  ＳＳＤ（Ｓｏｌｉｄ  Ｓｔａｔｅ  Ｄｉｓｋ）等の半導体素子によって構成された半導体記憶装置である。保管部は、ユーザからの削除指示等がない限り、記憶させたデータを永続的に記憶する。保管部は、複数の医用画像のデータ、ちらつき条件のデータを記憶する。
【００１６】
図２は、ちらつき条件記憶部１２に記憶されているちらつき条件のデータの一例を示した図である。ちらつき条件記憶部１２は、ちらつき条件のデータを、ちらつき条件に従って区分けした階層表として管理する。例えば、図２に示すように、ちらつき条件記憶部１２は、ちらつき条件を２つの階層に従って区分けした階層表ｓｔとして管理する。２つの階層は、上から順番に、画像階層ｓｔ１、分類階層ｓｔ２である。画像階層ｓｔ１は、ちらつき画像の種類が含まれる。ちらつき画像には、白黒強調画像、全体白黒画像、静止画像、及び切替え画像などがある。分類階層ｓｔ２は、ちらつき画像を分類するための分類条件が含まれる。白黒強調画像及び全体白黒画像は、それぞれ下層に関連付けられているモダリティの種類により、細かく分類される。静止画像は、その下層に関連付けられている、静止画像の種類により、細かく分類される。なお、ちらつき画像を細かく分類する必要がない場合もある。そのときは、例えば、切替え画像のように、その下層に、分類条件が関連付けされていなくてもよい。
【００１７】
図２に示すちらつき条件の階層表ｓｔには、その最下層に対処階層ｐｒが関連付けされている。対処階層ｐｒは、読影対象の複数の医用画像にちらつき画像が含まれている場合の基本的な対処方法が含まれる。したがって、対処階層ｐｒは、ちらつき条件の階層表ｓｔにより細かく分類されたちらつき画像各々に対する対処方法のプリセットである。対処方法には、「飛ばし」、「ゆっくり表示」、「輝度調整表示」、「縮小表示」、「中間画像で代替」がある。例えば、ちらつき画像の種類が「白黒強調画像」、分類条件が「ＣＴ」のとき、そのちらつき画像の対処方法は「飛ばし」がプリセットとなる。なお、ちらつき条件記憶部１２に記憶されているちらつき条件のデータの記憶構造は、図２に示した階層構造に限定されない。また、ちらつき条件は、対処方法と関連付けして記憶していなくてもよい。
【００１８】
ちらつき画像特定部１３は、画像記憶部１４に記憶された複数の医用画像に含まれるちらつき画像を特定する。具体的には、ちらつき画像特定部１３は、順番付けされた複数の医用画像から、ちらつき条件に従って、ちらつき画像を特定する。ちらつき画像は、画像めくり表示において、ユーザに対して、ちらつく視感覚を起こさせる画像である。例えば、画像めくり表示において、めくった後の画像が、めくる前の画像に比べて、白っぽい、または、黒っぽい画像のときに、ユーザはちらつきを感じる。また、画像めくり表示において、同じ種類の画像（例えば、スライス画像等）の画像めくり表示が続いた後に、他の種類の画像に切り替わる際にも、ユーザはちらつきを感じる。ちらつきによるユーザの目への負担は大きいため、ちらつき画像は、読影におけるユーザの目への負担が大きい医用画像でもある。
【００１９】
ちらつき画像には、白黒強調画像、全体白黒画像、静止画像、及び切替え画像がある。  
図３は、白黒強調画像を説明するための説明図である。  
画像ａ１〜画像ａ６は、それぞれ順番付けされた読影対象の複数の医用画像である。白黒強調画像は、他の医用画像に対して、白い部分、または黒い部分が多い医用画像である。図３に示した画像ａ１〜画像ａ６のうち、画像ａ３が、他の画像に対して白い部分が多い。したがって、白黒強調画像は画像ａ３である。白黒強調画像は、例えば、白黒反転処理等の画像処理が実行されることにより発生される。
【００２０】
図４は、全体白黒画像を説明するための説明図である。  
画像ｂ１〜画像ｂ６は、それぞれ順番付けされた読影対象の複数の医用画像である。全体白黒画像は、画像全体が白っぽい、または、黒っぽい画像である。したがって、全体白黒画像は、被検体の陰影を判別しにくい画像でもある。図４に示した画像ｂ１〜画像ｂ６のうち、画像ｂ１、画像ｂ２、及び画像ｂ３が、画像全体が黒っぽい。したがって、全体白黒画像は、画像ｂ１、画像ｂ２、及び画像ｂ３である。全体白黒画像は、例えば、Ｘ線透視が開始された直後の数枚の透視画像が該当する。これらの透視画像は、Ｘ線透視の開始直後のＸ線管の管電圧値が安定しない状態で撮影が行われたため、Ｘ線検出部に対して十分なＸ線が照射されていない等の理由により発生される。
【００２１】
ちらつき画像特定部１３は、画像の輝度及び画像の付帯情報のうち、少なくとも一方に基づいて、複数の医用画像から、白黒強調画像及び全体白黒画像を特定する。画像の輝度とは、例えば、画像の輝度ヒストグラム、画像の平均輝度、及び画像の輝度の合計値等のその画像の明暗がわかるパラメータである。以下、ちらつき画像特定部１３が、輝度ヒストグラムに基づいて、複数の医用画像から白黒強調画像及び全体白黒画像を特定する方法について説明する。
【００２２】
輝度ヒストグラムは、横軸を輝度、縦軸を画素数に対応する度数分布図であり、輝度の分布を表した図である。度数の分布の広がりが狭く、右寄りの輝度ヒストグラムを有する画像は、画像全体が白っぽい画像である。度数の分布の広がりが狭く、左寄りの輝度ヒストグラムを有する画像は、画像全体が黒っぽい画像である。度数の分布の広がりが広く、高輝度に対応する度数が大きい画像は、白い部分が多い画像である。度数の分布の広がりが広く、低輝度に対応する度数が大きい画像は、黒い部分が多い画像である。度数の分布及び度数の大きさにそれぞれ閾値を設けることで、ちらつき画像特定部１３は、複数の医用画像から白黒強調画像及び全体白黒画像を特定することができる。なお、閾値は、予め登録されているプリセット値でもよいし、画像記憶部１４に記憶されている複数の医用画像に基づいて決定される値でもよい。例えば、順番が連続する３つの医用画像において、２枚目の医用画像が白黒強調画像または全体白黒画像であるかを判定するために、ちらつき画像特定部１３は、２枚目の医用画像の輝度ヒストグラムを、１枚目の医用画像と３枚目の医用画像とを平均した平均輝度ヒストグラムに対して比較してもよい。また、閾値は、細かく分類されたちらつき画像毎に設けられてもよい。例えば、複数のＣＴ画像から白黒強調画像を特定するための閾値は、複数の超音波画像から白黒強調画像を特定するための閾値と異なる値であってもよい。これにより、ちらつき画像の特定する精度を向上させることができる。
【００２３】
また、ちらつき画像特定部１３は、平均輝度に基づいて、複数の医用画像から全体白黒画像を特定する。具体的には、ちらつき画像特定部１３は、複数の医用画像各々の平均輝度を算出する。そして、複数の医用画像各々の平均輝度を予め設定された閾値に対して比較する。比較した結果、第１閾値よりも高い、または、第２閾値よりも低い平均輝度を有する医用画像を全体白黒画像と判定する。第１閾値よりも高い平均輝度を有する画像は白っぽい画像であり、第２閾値よりも低い平均輝度を有する画像は黒っぽい画像である。また、複数の医用画像のうち、画像全体が白っぽい、または黒っぽい画像が特定できればよいので、平均輝度を比較する値は閾値でなくてもよい。第１閾値及び第２閾値は、ユーザ指示に従って、適宜変更することができる。また、ある画像の平均輝度の第１閾値及び第２閾値が、直前画像の平均輝度に基づいて決定されてもよい。このとき、ちらつき画像特定部１３は、直前画像の平均輝度を基準とした所定の範囲よりも平均輝度が大きい画像、または平均輝度が小さい画像を全体白黒画像として特定する。なお、平均輝度に代わり、医用画像の輝度の合計値が用いられてもよい。  
また、ちらつき画像特定部１３は、医用画像に付帯する画像のウィンドウレベル、ウィンドウ幅等の画像の輝度に関する情報に従って、複数の医用画像から、白黒強調画像及び全体白黒画像を特定してもよい。
【００２４】
図５は、静止画像を説明するための説明図である。  
図５に示す画像ｃ１〜画像ｃ６は、順番付けされた読影対象の複数の医用画像である。静止画像は、少なくともめくり表示で見る必要のない画像である。めくり表示で見る必要のない画像とは、例えば、１シリーズの中に含まれる、シリーズに関係のない画像である。シリーズに関係のない画像とは、例えば、検査結果のキャプチャー画像、撮影条件のキャプチャー画像、及びレポート画像等である。図５に示した画像ｃ１〜画像ｃ６のうち、画像ｃ１、ｃ２、ｃ３、ｃ５、及びｃ６は、スライス位置に従って順番付けされている。一方、画像ｃ４は、スライス画像ではなく、検査結果を示す画像である。したがって、静止画像は、画像ｃ４である。
【００２５】
図６は、切替え画像の第１例を説明するための説明図である。  
切替え画像は、順番付けされた読影対象の２つのシリーズ画像において、一方のシリーズから他のシリーズにめくり表示が切り替わった直後の画像である。図６に示す画像ｄ１〜画像ｄ６は、それぞれ順番付けされた読影対象の複数の医用画像である。画像ｄ１〜画像ｄ６のうち、画像ｄ１〜画像ｄ３は、同じシリーズＤ１３である。また、画像ｄ４〜画像ｄ６は、同じシリーズＤ４６である。したがって、切替え画像は、シリーズＤ１３からシリーズＤ４６にめくり表示が切り替わった直後の画像ｄ４である。
【００２６】
図７は、切替え画像の第２例を説明するための説明図である。  
図７に示す画像ｅ１〜画像ｅ６は、それぞれ順番付けされた読影対象の複数の医用画像である。具体的には、画像ｅ１〜画像ｅ６は、超音波診断装置のエコー撮影により発生された複数の医用画像である。ストレスエコーなどでは、特に同一箇所をある一定時間ごとに数回に分けて動画で撮影し観察する。例えば、造影剤を注入する前の超音波画像、造影剤注入直後の超音波画像、造影剤注入中の超音波画像等を、１つの表示画面に表示し、動画で観察する場合がある。このときの表示レイアウトには多くの種類がある。これらのレイアウトの切替え時は、ユーザに対してちらつく視感覚を起こさせる。例えば、画像ｅ１〜画像ｅ６のうち、画像ｅ１〜画像ｅ４は、１×１のレイアウトを有する。一方、画像ｄ５〜画像ｄ６は、１×２のレイアウトを有する。したがって、切替え画像は、表示レイアウトが変更した直後の画像ｅ５である。
【００２７】
ちらつき画像特定部１３は、複数の医用画像各々の付帯情報に基づいて、静止画像及び切替え画像を特定する。具体的には、ちらつき画像特定部１３は、医用画像に付帯されたモダリティコードに従って、静止画像及び切替え画像を特定する。例えば、図５に示す複数の医用画像において、画像ｃ１、ｃ２、ｃ４、ｃ５、及びｃ６は、それぞれＣＴ画像であるため、それぞれの付帯情報にモダリティコード「ＣＴ」が含まれる。一方、画像ｃ３は、キャプチャー画像であるため、その付帯情報にはモダリティコード「ＣＴ」が含まれない。したがって、ちらつき画像特定部１３は、付帯情報に従って、読影対象の複数の医用画像（画像ｃ１〜画像ｃ６）から、静止画像（画像ｃ３）を特定できる。
【００２８】
また、図６に示す複数の医用画像において、画像ｄ１〜画像ｄ３は、同じシリーズＤ１３であるため、画像ｄ１〜画像ｄ３のそれぞれの付帯情報に、同じシリーズＩＤが含まれる。同様に、画像ｄ４〜画像ｄ６は、同じシリーズＤ４６であるため、画像ｄ４〜画像ｄ６のそれぞれの付帯情報に、同じシリーズＩＤが含まれる。シリーズＤ４６に対応するシリーズＩＤは、シリーズＤ１３に対応するシリーズＩＤと異なる。したがって、ちらつき画像特定部１３は、付帯情報に従って、読影対象の複数の医用画像（画像ｄ１〜画像ｄ６）から、切替え画像（画像ｄ４）を特定できる。
【００２９】
また、図７に示す複数の医用画像におけるレイアウトの違いは、例えば、ＤＩＣＯＭのタグの１つの、Ｒｅｇｉｏｎ  Ｃａｌｉｂａｒａｔｉｏｎタグにより識別が可能である。
【００３０】
画像記憶部１４は、システム制御部２１（ＣＰＵなどのプロセッサー）が直接アクセスすることのできる１次記憶装置、及びシステム制御部２１に含まれるキャッシュメモリ等である。画像記憶部１４は、半導体素子によって構成されたメモリであり、例えば、１次記憶装置には、ＤＲＡＭ（Ｄｙｎａｍｉｃ  Ｒａｎｄｏｍ  Ａｃｃｅｓｓ  Ｍｅｍｏｒｙ）が用いられる。一方、キャッシュメモリには、ＳＲＡＭ（Ｓｔａｔｉｃ  Ｒａｎｄｏｍ  Ａｃｃｅｓｓ  Ｍｅｍｏｒｙ）が用いられる。画像記憶部１４は、読影対象の順番付けされた複数の医用画像のデータを一時的に記憶する。
【００３１】
画像発生部１５は、中間画像のデータを発生する。具体的には、画像発生部１５は、順番が連続する３つの医用画像のうち、１番目の医用画像のデータと３番目の医用画像のデータとに基づいて、２番目の医用画像の代替画像としての中間画像のデータを発生する。中間画像を構成する複数の画素の画素値は、１番目の医用画像を構成する複数の画素の画素値と３番目の医用画像を構成する複数の画素の画素値と加算して平均した値である。画像発生部１５は、システム制御部２１の制御にしたがって、ちらつき画像と順番が前後する２つの医用画像のデータに基づいて、ちらつき画像の代替画像としての中間画像のデータを発生する。画像発生部１５により発生された中間画像のデータは、画像記憶部１４に記憶される。
【００３２】
輝度調整部１６は、医用画像の輝度を調整する。具体的には、輝度調整部１６は、ちらつき画像の輝度を、代表画像の輝度に基づいて調整する。代表画像は、１つの医用画像であってもよいし、複数の医用画像であってもよい。例えば、代表画像は、ちらつき画像と順番が前後する２つの医用画像である。このとき、輝度調整部１６は、ちらつき画像のウィンドウレベル及びウィンドウ幅が、２つの医用画像の平均ウィンドウレベル及び平均ウィンドウ幅に一致するようにちらつき画像に対してウィンドウ処理を実行する。
【００３３】
入力部１７は、例えば、マウスやキーボードなどの入力デバイスを有している。なお、入力デバイスには、トラックボール、タッチパネル、及びスイッチ等が用いられてもよい。例えば、入力部１７は、画像めくり表示を開始するスイッチを有する。入力部１７は、本医用画像表示装置１に対して、ユーザが指示情報を入力するための、ユーザインターフェースとして機能する。指示情報とは、画像めくり表示モード、画像検索条件、読影画像の選択、読影対象の複数の医用画像の順番付け、ちらつき条件、及び対処方法等である。
【００３４】
画像めくり表示モードには、自動めくりモードと手動めくりモードとがある。自動めくりモードでは、予め設定された時間間隔で自動的に画像がめくられる（次の順番の画像に切り替わる）。手動めくりモードでは、ユーザのマウス操作、例えば、ホイールを回転させることにより、画像がめくられる。ユーザは、２つの画像めくり表示のモードから１つを入力部１７を介して選択する。
【００３５】
画像検索条件は、例えば、画像検索条件入力画面上のユーザ操作により入力される。画像検索条件入力画面は、ユーザによる検索項目及び検索キーの入力を支援する画面である。検索項目は、画像を検索するための項目で、例えば、患者情報、検査情報、及びシリーズ情報等に関連する項目である。検索キーとは、検索項目の一致条件である。例えば、検索項目が患者情報のとき、検索キーは、患者ＩＤ，患者の名前、生年月日等である。また、検索項目が検査情報のとき、検索キーは、モダリティの種類、検査日付等である。検索項目がシリーズ情報のとき、検索キーは、検査部位、検査ＩＤ等である。画像検索条件入力画面には、検索項目のメニューリスト、検索キーの入力欄、及び検索開始ボタンが含まれる。そして、メニューリストにおいて、複数の検索項目は、それぞれ対応する複数のチェックボックスとともに配置される。ユーザは、画像検索条件入力画面で検索項目のチェックボックスにカーソルを合わせ、クリックすることで、検索項目を選択することができる。チェックボックスにチェックがつくと、対応する検索キーの入力欄への入力が有効となる。これにより、ユーザは、キーボード等で検索キーを入力することができる。そして、検索開始ボタンがクリックされたのを契機に、画像検索条件が設定され、前述のＱｕｅｒｙ／Ｒｅｔｒｉｅｖｅ機能により、本医用画像表示装置１は、医用画像保管装置３から該当する医用画像のデータリストを取得する。取得されたデータリストは、画像検索条件入力画面に表示される。ユーザは、表示されたデータリストから、読影対象の医用画像（またはシリーズ）を入力部１７を介して選択する。
【００３６】
読影対象の複数の医用画像の順番付けは、読影対象の複数の医用画像の表示順序に関連する。後述の読み出し制御部１９は、この順番付けに従って、複数の医用画像が表示部２０に表示されるように画像記憶部１４のデータ読み出し制御を行う。順番付けは、ユーザ指示に従って、行われる。順番付けは、前述の読影対象の医用画像を選択する際に、行われてもよい。なお、付帯情報に同じシリーズＩＤを有する複数の医用画像が、撮影時刻、スライス位置、撮影順序等の他の付帯情報により予め順番付けがされている場合もある。この場合、上述の他の付帯情報に従って、順番付けが自動的に行われてもよい。したがって、順番付けは、主に読影対象の複数の医用画像に、複数のシリーズがふくまれているとき、または、シリーズＩＤを付帯していない医用画像が含まれているとき等に行われる。
【００３７】
ちらつき条件及び対処方法は、本医用画像表示装置１が備えるちらつき防止機能に関連する条件である。ちらつき条件及び対処方法は、例えば、ちらつき防止方法設定画面上のユーザ操作により入力される。
【００３８】
図８は、ちらつき防止方法設定画面の一例である。ちらつき防止方法設定画面Ｐは、ユーザによるちらつき条件の設定、及び、設定したちらつき条件に対応するちらつき画像の対処方法の設定を支援する画面である。図８に示すように、当該画面Ｐの「画像種類」に対応する位置に、複数のちらつき画像の名称ｎａ１が、それぞれ対応する複数のチェックボックスｃｈ１とともに一覧で表示される。ユーザは、設定するちらつき画像に対応するチェックボックスにカーソルｃｕを合わせ、クリックすることで、対処する対象のちらつき画像を入力することができる。当該画面Ｐの「分類条件」に対応する位置に、画像種類に応じた複数の分類条件の名称がチェックボックスとともに一覧で表示される。例えば、図８に示すように、「白黒強調画像」に対応する位置ｃａ１に複数の分類条件の名称ｎａ２１が、それぞれ対応する複数のチェックボックスｃｈ１１とともに一覧で表示される。ユーザは、設定する分類条件に対応するチェックボックスにカーソルｃｕを合わせ、クリックすることで、分類条件を入力することができる。当該画面Ｐの「対処方法」に対応する位置には、複数の分類条件に対応するように、複数の入力ボックスｂｏが一覧で表示される。ユーザは、設定したちらつき画像に対応する入力ボックスｂｏにカーソルｃｕを合わせ、クリックすることで、プルダウンメニューｍｅが表示される。プルダウンメニューｍｅには、複数の対処方法の名称が一覧で表示される。このとき、プルダウンメニューｍｅには、設定したちらつき画像に対して適用可能な対処方法が一覧で表示されてもよい。ユーザは、表示された複数の対処方法から設定する対処方法を選択することで、対処方法を入力することができる。なお、入力ボックスｂｏには、対応するちらつき条件に合致するちらつき画像の推奨される対処方法が表示されていてもよい。ユーザは、推奨される対処方法ではなく、他の対処方法を設定したいときに、前述の対処方法の入力操作を行う。以上説明したちらつき防止方法設定画面Ｐ上のユーザ操作により、ちらつき条件と、当該ちらつき条件に合致するちらつき画像の対処方法が入力される。ユーザにより、設定ボタンｓｅｔがクリックされたのを契機に、設定部１８は、入力されたちらつき条件と、当該ちらつき条件に合致するちらつき画像の対処方法を設定する。
【００３９】
設定部１８は、入力部１７を介して入力されたちらつき条件を設定する。また、ちらつき条件に対応する医用画像への対処方法を設定する。
【００４０】
読み出し制御部１９は、画像記憶部１４から複数の医用画像のデータを、順番付けに従って読み出す。読み出し制御部１９は、設定された対処方法に従って、画像記憶部１４に対して医用画像のデータ読み出しを制御する。対処方法の種類に応じた読み出し制御部１９の制御については、後述する。なお、本実施形態では、画像記憶部１４に記憶されている読影対象の複数の医用画像に対して順番が付けられていると記載している。しかしながら、画像記憶部１４に記憶されている段階において、読影対象の複数の医用画像に対して順番が付けられていなくてもよい。この場合、読み出し制御部１９は、予め設定された順番付けに従って、画像記憶部１４から読影対象の医用画像を順次読み出す。予め設定された順番付けとは、前述で説明したように、ユーザ指示に従って設定されてもよいし、読影対象の複数の医用画像各々に付帯する、撮影時刻、スライス位置、撮影順序等の情報により自動的に設定されてもよい。
【００４１】
表示部２０は、読み出し制御部１９により読み出された医用画像を表示する。表示部２０は、ちらつき防止方法設定画面、画像検索条件入力画面等の、各種入力画面や設定画面を表示する。
【００４２】
システム制御部２１は、ＣＰＵ（Ｃｅｎｔｒａｌ  Ｐｒｏｃｅｓｓｉｎｇ  Ｕｎｉｔ）と半導体メモリ等を有する。システム制御部２１は、入力部１７を介して、本医用画像表示装置１に入力された情報を、一時的に半導体メモリに記憶する。システム制御部２１は、入力された情報に基づいて本医用画像表示装置１の各部を統括して制御する。
【００４３】
（ちらつき防止機能）  
本医用画像表示装置１は、ちらつき防止機能を有する。ちらつき防止機能は、画像めくり表示におけるユーザのちらつきを抑制するための機能である。ちらつき防止機能に係る処理（以下、ちらつき防止処理と呼ぶ。）において、ちらつき画像特定部１３は、読影対象の複数の医用画像から、ユーザがちらつきを感じる要因となるちらつき画像が特定する。そして、特定されたちらつき画像に対して、設定された対処方法が適用される。前述の通り、対処方法には、「飛ばし」、「ゆっくり表示」、「輝度調整表示」、「縮小表示」、「中間画像で代替」がある。以下、これらの対処方法について説明する。
【００４４】
（飛ばし）  
対処方法「飛ばし」は、画像めくり表示時に、該当するちらつき画像を飛ばす処理である。現在、ＣＴ装置の、被検体の体軸方向の空間分解能に優れた撮影手法（Ｔｈｉｎｓｌｉｃｅ）により、１ｍｍ厚または１ｍｍ厚以下の断面間隔を有する複数（例えば、１０００枚）の断面画像を得ることができる。読影医が撮影範囲全体を俯瞰して観察するためのスクリーニング検査として行われる場合が多い。したがって、画像めくり表示は、ユーザが撮影範囲全体から気になる撮影箇所をいくつか特定できればよい。そのため、１ｍｍ厚の断面画像を１枚、２枚程度飛ばした場合でも、臨床上、大きな問題とならない場合がほとんどである。また、画像めくり表示は、例えば、６０ｆｐｓ等のフレームレートで行われる。人間の目の分解能は２４ｆｐｓ程度といわれており、１枚、２枚程度飛ばした場合でも、視感覚的に、大きな問題とならない場合がほとんどである。対処方法「飛ばし」は、時系列において被検体の変化がない画像、例えば、ＣＴ画像やＭＲＩ画像等への適用が好適である。
【００４５】
読み出し制御部１９は、読影対象の複数の医用画像のうち、ちらつき画像を表示対象から除外した、他の医用画像を順番付けに従って、表示部２０に表示させるために、画像記憶部１４に対してデータ読み出しを制御する。なお、対処方法「飛ばし」が適用される場合、読影医がちらつき画像を飛ばしたことが分かるように表示画面上もしくは、ちらつき画像と順番が前後する画像等に対処方法「飛ばし」を適用した旨を示す警告やマークが表示部２０に表示される。
【００４６】
（ゆっくり表示）  
対処方法「ゆっくり表示」は、画像めくり表示時に、該当するちらつき画像をゆっくり表示する処理である。この対処方法では、ちらつき画像が表示対象に含まれた状態であるため、ちらつきを感じる場合もあるが、ちらつき画像をゆっくり表示することにより、ユーザのちらつく感覚を低減することができる。アニメーション等の映像手法に関するガイドラインによれば、１秒間に３回を超えての点滅（白画像⇒黒画像の繰り返し）や、画面の大部分の領域(１／４)を輝度変化１０％以上で切り替えは、光過敏性発作の要因と成り得るため、避ける必要があるとされる。対処方法「ゆっくり表示」は、画面の点滅を回避することができる。そのため、対処方法「ゆっくり表示」は、白黒強調画像や全体白黒画像等への適用が好適である。しかし、切替え画像のように、種類の異なる画像に切り替わるような画像に適用されてもよい。また、読影に必要か、必要でないかの判断が、予めわかっていないような、撮影条件、検査結果、レポート画像等の静止画像に適用されてもよい。
【００４７】
読み出し制御部１９は、ちらつき画像をちらつき画像の前に表示された医用画像と異なる表示形態で表示されるように、画像記憶部１４に対してデータ読み出しを制御する。具体的には、読み出し制御部１９は、ちらつき画像を読影対象の他の医用画像よりも長く表示させるために、画像記憶部１４に対してデータ読み出しを制御する。画像めくり表示において、読み出し制御部１９は、所定の時間間隔で（例えば、フレームレートが６０ｆｐｓになるように）画像記憶部１４から順番付けに従って医用画像を読み出す。したがって、他の医用画像よりもちらつき画像を長く表示部２０に表示させるために、読み出し制御部１９は、ちらつき画像を繰り返し画像記憶部１４から読み出す。表示部２０は、繰り返し読み出されたちらつき画像を表示する。したがって、ちらつき画像が表示部２０に表示されている時間が他の医用画像よりも長くなる。ここでは、対処方法「ゆっくり表示」として、ちらつき画像の表示時間が他の医用画像よりも長くなるように表示される旨を説明した。しかしながら、ユーザによるちらつきが低減できるのであれば、他の表示方法が適用されてもよい。例えば、表示部２０に表示する医用画像の順番が、ちらつき画像の順番に近づくにつれて、徐々に表示時間を長くてもよい。また、ちらつき画像を表示した後の医用画像の表示時間を徐々に短くしてもよい。読み出し制御部１９は、ちらつき画像の近傍の医用画像の表示時間を変化させるために、画像記憶部１４に対するデータ読み出しの制御をしてもよい。
【００４８】
（縮小表示）  
対処方法「縮小表示」において、ちらつき画像は、他の医用画像の表示サイズよりも小さく表示される。その縮小率は、予め設定されているが、ユーザ指示に従って適宜変更されてもよい。縮小率は、医用画像の特徴が分かる程度が好適である。例えば、関心領域がわかるような医用画像であれば、関心領域の大きさに応じて縮小率が決定されてもよい。この対処方法によれば、例えば、表示画面の面積に対するちらつき画像の白い部分の面積の比率が小さくなるため、ユーザのちらつく感覚を低減することができる。
【００４９】
読み出し制御部１９は、ちらつき画像をちらつき画像の前に表示された医用画像と異なる表示形態で表示されるように、画像記憶部１４に対してデータ読み出しを制御する。具体的には、読み出し制御部１９は、ちらつき画像が他の医用画像よりも小さく表示されるように、画像記憶部１４に対してデータ読み出しを制御する。このとき、読み出し制御部１９は、縮小率に応じて、ちらつき画像の画素の読み出しを制御する。例えば、縮小率が１／２のとき、読み出し制御部１９は、画像記憶部１４から、ちらつき画像の画素を縦方向及び横方向に１つ置きに読み出す、または、２×２の画素の平均画素を１画素として読み出す。
【００５０】
（輝度調整表示）  
対処方法「輝度調整表示」において、ちらつき画像は、輝度調整部１６により輝度が調整される。この対処方法によれば、ちらつき画像に画像めくり表示されたときや、ちらつき画像から画像めくる表示されたときにおいて、ユーザによるちらつく感覚を低減することができる。
【００５１】
読み出し制御部１９は、ちらつき画像をちらつき画像の前に表示された医用画像と異なる表示形態で表示されるように、画像記憶部１４に対してデータ読み出しを制御する。具体的には、読み出し制御部１９は、画像記憶部１４から読み出したちらつき画像のデータを輝度調整部１６に対して出力する。そして、輝度調整部１６により輝度調整された後のちらつき画像が表示部２０に対して読み出される。
【００５２】
（中間画像で代替）  
対処方法「中間画像で代替」において、ちらつき画像は中間画像で代替される。中間画像は、画像発生部１５により発生される。この対処方法によれば、読影対象の医用画像の枚数は維持されたままであるため、ユーザは、画像めくり表示の一連の流れの中で違和感がない。したがって、対処方法「中間画像で代替」は、時系列において被検体の変化がある画像、例えば、超音波のストレスエコーに対応するシリーズ、造影剤を注入した一連の造影Ｘ線画像等への適用が好適である。読み出し制御部１９は、ちらつき画像の順番に中間画像のデータを画像記憶部１４から読み出す。
【００５３】
以下、画像めくり表示における本医用画像表示装置１の処理の流れを、ユーザによる操作とともに図９を参照して説明する。
【００５４】
図９は、本実施形態に係る医用画像表示装置１を用いた画像めくり表示における処理の流れを示したフローチャートである。  
（ステップＳ１１）  
入力部１７を介してユーザにより入力されたちらつき条件及び対処方法が、設定部１８により設定される。
【００５５】
（ステップＳ１２）  
医用画像保管装置３から画像検索条件入力画面上のユーザ操作に従って指定された読影対象の複数の医用画像のデータを受信し、本医用画像表示装置１の画像記憶部１４に記憶される。
【００５６】
（ステップＳ１３）  
ユーザ操作、または医用画像各々の付帯情報に従って、読影対象の複数の医用画像に対して表示する順番付けされる。
【００５７】
（ステップＳ１４）  
画像めくり表示を開始するスイッチが押されたのを契機に、読み出し制御部１９により、順番付けに従って画像記憶部１４から医用画像のデータの読み出しが開始される。
【００５８】
（ステップＳ１５）  
ちらつき画像特定部１３により、読み出された医用画像がちらつき画像であるかが判定される。読み出された医用画像が、ちらつき画像の場合、処理がステップＳ１６に移行される。読み出された医用画像が、ちらつき画像ではない場合、処理がステップＳ１７に移行される。
【００５９】
（ステップＳ１６）  
ちらつき画像のちらつき条件に対応する対処方法に従って、ちらつき画像の処理が実行される。対処方法については、前述のちらつき防止機能で説明した通りである。  
（ステップＳ１７）  
読み出し制御部１９に読み出された医用画像が表示される。  
（ステップＳ１８）  
読影対象の複数の医用画像の表示が終了したかがシステム制御部２１により判定される。読影対象の複数の医用画像の表示が完了するまで、ステップＳ１４〜ステップＳ１７までの処理が繰り返し実行される。
【００６０】
なお、図９に示したフローチャートでは、読影対象の複数の医用画像の中にちらつき画像が含まれているかの判断が、表示部２０に表示する直前に行われている。しかしながら、読影対象の複数の医用画像の中にちらつき画像が含まれているかの判断は、他のタイミングで行われてもよい。例えば、ステップＳ１３の読影対象の複数の医用画像の順番付けが終了した後に行われてもよい。事前にちらつき画像を特定しておくことで、画像めくり表示の速度が遅れる可能性を小さくできる。
【００６１】
ちらつき防止機能を有する本医用画像表示装置１によれば、以下の効果を得ることができる。本医用画像表示装置１がちらつき画像特定部は、読影対象の複数の医用画像から、ユーザに対してちらつく視感覚を起こさせるちらつき画像を特定することができる。ちらつき画像を特定するために、画素値及び付帯情報を用いられる。特定されたちらつき画像は、その種類に応じて細かく分類される。そして、分類毎にちらつき画像の対処方法が設定される。対処方法には、「飛ばし」、「ゆっくり表示」、「輝度調整表示」、「縮小表示」、「中間画像で代替」がある。ちらつき画像の種類に応じた対処方法には、予め設定されているプリセットが用いられてもよいし、ユーザにより設定されてもよい。ユーザは、ちらつき防止方法設定画面上の操作により、ちらつき画像の種類に応じた対処方法を設定することができる。ちらつき画像の種類に応じた対処方法が適用されることで、医用画像の全体を観察するスクリーニング検査の精度を確保しながらも、画像めくり表示により引き起こされるユーザのちらつく視感覚を抑制することができる。したがって、本医用画像表示装置１は、画像めくり表示における読影医の負担を低減することができる。
【００６２】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。これら実施形態やその変形は、発明の範囲や趣旨に含まれると同様に、特許請求の範囲に記載された発明とその均等の範囲に含まれるものある。
【符号の説明】
【００６３】
１…医用画像表示装置、３…医用画像保管装置、１１…送受信部、１２…ちらつき条件記憶部、１３…ちらつき画像特定部、１４…画像記憶部、１５…画像発生部、１６…輝度調整部、１７…入力部、１８…設定部、１９…読み出し制御部、２０…表示部、２１…システム制御部
【図１】
2015231074.tif 000003
【図２】
2015231074.tif 000004
【図３】
2015231074.tif 000005
【図４】
2015231074.tif 000006
【図５】
2015231074.tif 000007
【図６】
2015231074.tif 000008
【図７】
2015231074.tif 000009
【図８】
2015231074.tif 000010
【図９】
2015231074.tif 000011